(57)【要約】【課題】車体の走行に伴って車体周囲の作業対象物に対する作業を行う電動式作業デバイスの電力消費を抑制する制御を実装された乗用作業車の提供。【解決手段】運転座席を備えた車体と、車体を支持する駆動車輪ユニットと、車体の走行に伴って車体周囲の作業対象物に対する刈取り作業を行う回転ブレードを有するモーアユニットと、回転ブレードを駆動するための作業用電動機と、作業用電動機を定常モード又は定常モードより消費電力が少ない省電力モードで動作制御する電動機制御部と、作業用電動機の負荷を評価する作業負荷評価部とを備え、作業負荷評価部によって評価された作業用電動機の負荷がしきい値より低い低負荷である場合に、電動機制御部は前記作業用電動機を省電力モードで動作させる。【選択図】図１
2015154792.tif 000002
【特許請求の範囲】
【請求項１】
運転座席を備えた車体と、当該車体を支持する駆動車輪ユニットと、前記車体の走行に伴って車体周囲の作業対象物に対する刈取り作業を行う回転ブレードを有するモーアユニットと、
前記回転ブレードを駆動するための作業用電動機と、
前記作業用電動機を定常モード又は当該定常モードより消費電力が少ない省電力モードで動作制御する電動機制御部と、前記作業用電動機の負荷を評価する作業負荷評価部とを備え、
前記作業負荷評価部によって評価された前記作業用電動機の負荷がしきい値より低い低負荷である場合に、前記電動機制御部は前記作業用電動機を省電力モードで動作させる乗用草刈り機。
【請求項２】
前記作業負荷評価部による負荷評価は、前記作業用電動機への供給電流値、前記作業用電動機の回転数、前記作業対象物に対する作業量のうちの少なくとも１つを入力パラメータとして負荷評価値を求めることにより行われる請求項１に記載の乗用草刈り機。
【請求項３】
前記しきい値を設定するしきい値設定部を備え、
前記しきい値設定部は、前記作業用電動機の低負荷状態における、前記作業用電動機への供給電流値、前記作業用電動機の回転数、前記作業対象物に対する作業量のうちの少なくとも１つを入力パラメータとして負荷評価値を求め、当該負荷評価値に基づいて前記しきい値を設定する請求項１又は２に記載の乗用草刈り機。
【請求項４】
前記しきい値設定部によるしきい値の設定が行われる低負荷状態が、前記車体が停止状態にあるという条件、前記作業対象物が存在しない箇所を走行しているという条件、刈取り後の前記作業対象物の排出量がゼロであるという条件、及び、前記モーアユニットが前記作業対象物に対する刈取り作業を行わない上昇位置に格納されているという条件のうちの少なくともいずれか１つを満たす状態である請求項３に記載の乗用草刈り機。
【請求項５】
前記しきい値が、前記車体が走行する環境変化に基づいて、所定範囲内で変動するしきい値である請求項１〜４のいずれか一項に記載の乗用草刈り機。
【請求項６】
前記定格回転モードにおいて前記負荷が前記しきい値より低い状態が所定時間継続した場合に前記省電力モードに移行し、且つ、前記省電力モードにおいて前記負荷がしきい値以上になった場合に、瞬時に定格回転モードに移行する請求項１〜５のいずれか一項に記載の乗用草刈り機。
【発明の詳細な説明】
【技術分野】
【０００１】
本発明は、運転座席を備えた車体と、当該車体を支持する駆動車輪ユニットと、前記車体の走行に伴って車体周囲の作業対象物に対する作業を行う作業デバイスを有する作業ユニットと、前記作業デバイスを駆動するための作業用電動機とを備えた乗用作業車に関する。
【背景技術】
【０００２】
上記のような乗用作業車の一つとして、作業ユニットとして芝草を刈り取るモーアユニットを備えた乗用電動芝刈機がある。乗用電動芝刈機には、左右の駆動後輪への回転動力及びモーアユニットの芝刈用ブレードへの回転動力を電動モータによって行い、その電動モータの電源であるバッテリの充電をエンジンによって行うハイブリッド車両式と、エンジンを備えない電気車両式とがある。
【０００３】
ハイブリッド車両式の乗用電動芝刈機は、例えば、特許文献１に記載されている。この特許文献１に記載された乗用電動芝刈機では、左右の駆動後輪がそれぞれ独立して駆動制御される電動モータが割り当てられており、左右の駆動後輪の回転速度が異ならせることでスムーズな旋回を実現することを意図している。この乗用電動芝刈機では、芝刈用ブレードの回転制御に関しては詳しく開示されていない。
【０００４】
電気車両式の乗用電動芝刈機は、特許文献２に記載されている。この特許文献２に記載された乗用電動芝刈機では、後輪であり主駆動輪である左右車輪の駆動源、前輪である左右キャスタ輪の走行用駆動源及び操向用駆動源、芝刈機を構成する芝刈回転工具である芝刈用ブレードの駆動源としていずれも電動モータが用いられている。しかしながら、この乗用電動芝刈機においても、芝刈用ブレードの回転制御に関しては詳しく開示されていない。
【０００５】
人が歩きながら操作する、歩行型のバッテリ駆動式電動芝刈機では、バッテリが小さく、その容量が少ないことから、電力を効率良く利用して芝刈作業を長時間行えるように工夫されたものがある。そのような電動芝刈機として、例えば特許文献３に記載されたものでは、出力軸に刈刃を取付けた直流電動モータにバッテリを接続し、電動モータの回転数を、重負荷時でも刈刃を正常に機能させ得る最低回転数もしくはそれに近い回転数に略一定に維持すべく、負荷の増・減に応じて電動モータへの供給電流を増・減させる制御ユニットが電動モータ及びバッテリ間に接続されている。この制御ユニットは、重負荷時には電動モータの電力消費を芝刈りに必要な最小限に抑え、低負荷時には電動モータの回転数上昇を抑制して必要以上の電力消費を抑え、また負荷変動に対する消費電力の変化を少なくしている。つまり、負荷の変動にもかかわらず、電動モータの回転速度をできるだけ一定にしようとする制御を行っている。
しかしながら、乗用芝刈機では、モータやエンジンによって歩行速度よりははるかに早い速度で走行しながら広大の範囲の芝刈り作業を行うものであり、走行速度や芝生の密集度などにより作業負荷は頻繁に変化する。また、作業方向性を考慮する場合、つまり芝刈り方向性を考慮する場合、その芝刈り作業において芝刈りを伴う作業走行と芝刈りを伴わない非作業走行が繰り返えされることが少なくない。そのため、電動モータの回転速度をできるだけ一定にしようとする制御では消費電力の節約は効果的なものにはならない。
【先行技術文献】
【特許文献】
【０００６】
【特許文献１】特開２００９−２５５８４０号公報（段落番号〔００２７−００８９〕、図３）
【特許文献２】特開２０１０−１８４６３６号公報（段落番号〔００３６−０１１７〕、図１０）
【特許文献３】特開平９−２０１１２６号公報（段落番号〔０００６−００３６〕、図５）
【発明の概要】
【発明が解決しようとする課題】
【０００７】
上記実情に鑑み、本発明は、車体の走行に伴って車体周囲の作業対象物に対する作業を行う電動式作業デバイスの電力消費を抑制する制御を実装された乗用作業車を提案することである。
【課題を解決するための手段】
【０００８】
本発明による乗用作業車は、運転座席を備えた車体と、当該車体を支持する駆動車輪ユニットと、前記車体の走行に伴って車体周囲の作業対象物に対する作業を行う作業デバイスを有する作業ユニットと、前記作業デバイスを駆動するための作業用電動機と、前記作業用電動機を定常モード又は当該定常モードより消費電力が少ない省電力モードで動作制御する電動機制御部と、前記作業用電動機の負荷を評価する作業負荷評価部とを備え、前記作業負荷評価部によって評価された前記作業用電動機の負荷がしきい値より低い低負荷である場合に、前記電動機制御部は前記作業用電動機を省電力モードで動作させる。
【０００９】
この構成によると、定常モードで走行作業中において作業用電動機にかかる負荷が作業負荷評価部によって評価され、さらにその評価された作業用電動機の負荷がしきい値より低い低負荷である場合に、定常モードから定常モードより消費電力が少ない省電力モードに移行する。従って、運転者が意識せずともパワーが要求されない作業状態となれば自動的に省電力モードに移行するので、確実に電力消費を抑制することができるとともに、この電力消費抑制によって作業効率が低下することもない。
【００１０】
本発明の好適な実施形態の１つでは、前記しきい値は、前記車体の走行停止時における前記作業負荷評価部によって評価された前記作業用電動機の負荷評価に基づいて設定される。車体を走行させながら車体周囲の作業対象物に対する作業を行う作業車の場合、一般的には車体の走行停止時には作業用電動機に負荷がかからないとみなすことができる。従って、車体の走行停止時における作業用電動機の負荷を低負荷または無負荷の判定基準、つまりしきい値とすることが可能である。走行停止状態は簡単に検出できるという利点もある。
【００１１】
作業用電動機の負荷評価を処理しやすい値、特に数値で扱うための好適な実施形態として、本発明では、前記作業負荷評価部による前記作業用電動機の負荷評価を、前記作業用電動機への供給電流値、前記作業用電動機の回転数、前記作業対象物に対する作業量のうちの少なくとも１つを入力パラメータとして導出される負荷評価値とすることが提案される。
【００１２】
低負荷と高負荷とが頻繁に繰り返して評価されることによる、制御のチャタリング現象を抑制するため、本発明の好適な実施形態の１つでは、前記作業用電動機の低負荷との評価は、前記作業用電動機の負荷がしきい値より低い状態が所定時間継続することを条件としている。
【００１３】
作業条件や作業環境の変動、例えば、駆動負荷が異なる種々の作業デバイスを頻繁に取り換えるケースや、複数の作業デバイスを装備して適時に選択使用するようなケースでは、頻繁にしきい値設定の更新を実行したほうが好都合である。しかしながら、しきい値設定に適した状態が頻繁に生じるとは限らない。このような場合に対処するため、本発明の好適な実施形態の１つでは、前記車体の走行停止時における前記作業用電動機の負荷評価ができない場合に、前記しきい値は、予め設定されたデフォルト値で設定されるように構成されている。
【図面の簡単な説明】
【００１４】
【図１】作業ユニットの作業用電動機に所定値未満の低負荷しかかかっていない場合に作業用電動機を省電力モードで運転する、本発明の制御原理を説明する模式図である。
【図２】本発明による乗用電動芝刈機の実施形態の一つを示す斜視図である。
【図３】乗用電動芝刈機の電気系統及び動力系統を示す系統図である。
【図４】モーアユニットの一例を示す斜視図である。
【図５】コントローラの機能ブロック図である。
【図６】芝刈り作業時の全体的な制御の流れを示すフローチャートである。
【図７】走行制御の概略的な流れを示すフローチャートである。
【図８】作業機制御の流れを示すフローチャートである。
【図９】作業負荷初期設定の流れを示すフローチャートである。
【発明を実施するための形態】
【００１５】
以下、本発明の実施の形態を図面に基づいて説明する。
本発明の具体的な構成を説明する前に、図１を用いて、本発明を特徴付けている、作業ユニットの作業用電動機にかかる負荷を評価して、所定の低負荷の場合に作業用電動機を省電力モードで運転する制御原理を説明する。なお、ここでは、電動作業車は、作業ユニットとしてモーアユニットを車体に装備している乗用電動芝刈機であり、作業用電動機は芝草を刈り取る回転ブレードのためのモータ（ブレードモータ）である。
【００１６】
まず、この乗用電動芝刈機を操縦して芝刈り作業を行う前に、初期処理として、道路や平地の走行時、あるいは芝生場での停車時など、回転ブレードに芝刈り負荷がかからない状態でのブレードモータにおける負荷がモーアユニットの負荷状態として評価される（＃０１）。このブレードモータにかかる負荷と関係するパラメータとしては、ブレードモータへの給電量、ブレードモータの回転数、モーアユニットから排出される刈草量などが挙げられる。本発明では、ブレードモータの負荷が無負荷ないしは低負荷（以下低負荷なる用語には無負荷も含まれるとする）の場合、そのブレードモータの回転数を定常回転数より低い低回転数に下げることで省エネ（省電力）を図っている。従って、この初期処理では、ブレードモータが低負荷であるか、あるいは高負荷であるかを判定する評価しきい値が求められる（＃０２）。
【００１７】
評価しきい値は、以下のような種々のパラメータの１つまたはその組み合わせに基づいて求めることができる；
（１）ブレードモータへの給電量；α1
作業対象としての芝草が回転ブレードの作用範囲外であるときのブレードモータへの給電量をわずかに超える給電量をしきい値として設定して、このしきい値未満では低速回転、このしきい値以上では当該低速回転よりは速い回転速度となる定常回転とする。実際に回転ブレードで芝草を刈り取っている時にはブレードモータに大きな負荷がかかるのでブレードモータへの給電量が大きくなる。これにより、作業中に検出したブレードモータへの給電量をこのしきい値で比較することにより、芝刈り時にはブレードモータは高速回転（定常回転）し、非芝刈り時には低速回転する制御が実現する。
（２）ブレードモータの回転数;α2（この回転数は単位時間当たりの回転数であり、回転速度を意味する）
負荷（トルク）が大きくなれば回転数が低下するモータを使用している場合、検出された回転数がそのまま判定基準に利用できる。つまり、非芝刈り時のブレードモータの回転数をわずかに超える回転数をしきい値として設定して、このしきい値未満では低速回転、このしきい値以上で定常回転とする。これにより、大きなトルクが必要な芝刈り時には十分なトルクを発生させるためブレードモータは高速回転（定常回転）して、大きなトルクが必要でない非芝刈り時には低速回転する制御が実現する。
（３）モーアユニットから排出される刈草量；α3（＝回転ブレードによって刈り取られ
た芝草量）
モーアユニットから排出される刈草量が増加した場合、ブレードモータの負荷も大きくなっているので、モーアユニットから排出される刈草量に基づいてブレードモータの高速回転（定常回転）と低速回転との選択を行うことも可能である。従って、モーアユニットから排出される刈草量が実質的にゼロの状態を判定のしきい値とするとよい。
（４）走行に伴ってモーアユニットに入り込む推定芝草量；α4
（３）と類似するが、モーアユニットの走行方向前方側に芝草量検知センサを設けて、この芝草量検知センサからの検知信号に基づいてブレードモータの高速回転（定常回転）と低速回転との選択を行うことも可能である。芝草量検知センサとしては接触センサや画像センサを利用することができる。ここでも、入り込み量が実質的にゼロの状態を判定のしきい値とするとよい。
【００１８】
ブレードモータが実質的に無負荷となっている状態での、上述した物理量（検出量）；α1〜α4・・・の少なくとも１つに基づいて、評価しきい値：Ｌthが、予め実験的または経験的にあるいはその両方で作成された関数：ｆを用いて導出される、つまり、
Ｌth＝ｆ（α1and/orα2and/orα3and/orα4・・・）
で示される。このようにして、しきい値が導出されると、これは芝刈り作業中での利用に供えて芝刈り作業前に設定される（＃０３）。なお、しきい値を導出するために適切な物理量が得られなかった場合は、予め記憶されている、デフォルトのしきい値、例えば前回作業時のしきい値を設定するとよい。
【００１９】
しきい値の設定等の初期設定処理が終了すると、芝生場をブレードを回転させながら走行することで実際の芝刈り作業が始まる（＃１１）。芝刈り作業が始まると、上述した、ブレードモータの負荷に関係する物理量の少なくとも１つが検出され、その検出値を入力パラメータとして、作業時負荷評価値：Ｌ＝ｆ（α1and/orα2and/orα3and/orα4・・・）が導出される（＃１２）。
【００２０】
この作業時負荷評価値：Ｌは、前もって設定されているしきい値と比較される（＃１３）。この比較において、
（１）Ｌ＜＝Ｌth、作業時負荷評価値がしきい値以下の場合、ブレードモータが低負荷（無負荷）状態であるとみなし、ブレードモータが定常回転（高速回転）であれば、ブレードモータに低回転指令が与えられ、これによりブレードモータは省電力のための低回転モード（省電力モード）での駆動に切り替えられる（＃１４）。ブレードモータが低回転であればその状態が維持される。
（２）Ｌ＞Ｌth、作業時負荷評価値がしきい値を越えている場合、ブレードモータが高負荷状態であるとみなし、ブレードモータが低回転であれば、ブレードモータに定常回転指令が与えられ、より大きなトルクを得るためにブレードモータは高回転モードに切り替えられる（＃１５）。ブレードモータが高回転であればその状態が維持される。
【００２１】
なお、瞬間的な負荷変動による不適切な定常回転と低回転との繰り返しを避けるために、上述した作業時負荷評価値：Ｌとしきい値との比較結果が所定時間継続することを付帯条件にする方策や、経時的に得られた作業時負荷評価値：Ｌに対して移動平均などの手法で経時的な平均化を行って得られた平均作業時負荷評価値：Ｌaveを作業時負荷評価値：
Ｌに代えて用いる手法が好ましい。ただし、低回転モード（省電力モード）で走行中に芝地に進入した場合などを想定すると、低回転モードにおいてしきい値Ｌth以上の負荷が生じた場合は、瞬時にブレードモータは高回転モードに切り替えて、芝刈りが可能なようにすることも好ましい。
【００２２】
次に、上述した、作業ユニットの作業用電動機にかかる負荷を評価して、所定の低負荷の場合に作業用電動機を省電力モードで運転する制御原理を採用した乗用作業車の具体的な実施形態を以下に説明する。ここでも、乗用作業車は作業ユニットとしてモーアユニットを車体に装備している乗用電動芝刈機として構成されており、作業用電動機は芝草を刈り取る回転ブレードのためのブレードモータである。
【００２３】
そのような乗用電動芝刈機の概観が図２に斜視図として示されている。また、その電気系統図及び動力系統図が図３に模式的に示されている。この乗用電動芝刈機は、左右一対の遊転自在なキャスタ型前車輪１ａ，１ｂからなる前車輪ユニット１、左右一対の駆動型後車輪２ａ，２ｂからなる後車輪ユニット２、前車輪ユニット１と後車輪ユニット２とによって支持される車体１０、車体１０の後部に配置されたバッテリ２０、バッテリ２０の前方に配置された運転座席１１、運転座席１１の後方から立設された転倒保護フレーム１２、前車輪ユニット１と後車輪ユニット２との間で車体１０の下方空間に昇降リンク機構１３を介して昇降可能に車体１０から吊り下げられたモーアユニット３を備えている。後車輪ユニット２やモーアユニット３への給電は、ＥＣＵとも呼ばれるコントローラ５による制御に基づいて動作するインバータ４を介して行われる。
【００２４】
運転座席１１の前方には運転者の足載せ場であるフロアプレートが設けられており、そこからブレーキペダル１４が突き出している。運転座席１１の両側には、車体横断方向の水平揺動軸回りに揺動する左操縦レバー１５ａと右操縦レバー１５ｂとからなる操縦ユニット１５が配置されている。さらに、運転座席１１の片側、ここでは左側に電気制御系のスイッチボタンやスイッチレバー等を有する電気操作パネル１８が設けられている。
【００２５】
左後車輪２ａと右後車輪２ｂとをそれぞれ回転駆動するインホイールモータである左輪モータ２１と右輪モータ２２が装備されている。各モータ２１，２２はそれぞれ独立的にインバータ４を介して供給される電力量によってその回転速度が変化する。従って、左後車輪２ａと右後車輪２ｂの回転速度を相違させることができ、この左右後車輪速度差によって乗用電動芝刈機の方向転換が行われる。
【００２６】
このモーアユニット３は、図４に示すように、３枚ブレードのサイドディスチャージタイプであり、モーアデッキ３０と、３枚の回転ブレード３１ａ，３２ａ，３３ａとを備えている。回転ブレード３１ａ，３２ａ，３３ａがそれぞれブレードモータ３１，３２，３３によって回転駆動されること以外は、モーアユニット３それ自体は公知のものと類似している。従って、図示されていないが、モーアユニット３の外側には、４つのコーナに配置されたゲージ輪と、中央の前後に配置された接地ローラとを備えており、モーアデッキ３０の内部には、各回転ブレード３１ａ，３２ａ，３３ａよりも前側に設けたバッフルプレートと、モーアデッキ３０の内部後側に各回転ブレード３１ａ，３２ａ，３３ａの先端が描く回転軌跡の後部側に沿うように形成したバキュームプレートとが設けられている。なお、モーアデッキ３０の右端には排出口３８が形成されている。
【００２７】
モーアデッキ３０は、天井面と、この天井面の前縁部から下方向きに延出した前縦壁と、天井面後縁部から下向きに延出した後縦壁と、天井面の横端部から下向きに延出した横縦壁とによって構成されている。３枚の回転ブレード３１ａ，３２ａ，３３ａは、モーアデッキ３０の内部に横方向に並列配置されている。モーアデッキ３０の横方向での中央に位置する回転ブレード３２ａが、少し前方に偏位するように平面視で三角配置される。回転ブレード３１ａは、排出口３８から最も離れて存在し、且つ刈草流動方向での最上手に位置する。このモーアユニット３では、回転ブレード３３ａは、排出口３８の最も近くに位置し、且つ刈草流動方向での最下手に位置する。回転ブレード３１ａ，３２ａ，３３ａのそれぞれは、モーアデッキ３０の天井面に図示しないブラケットを介して固定されている各ブレードモータ３１，３２，３３の駆動軸に取り付けられている。尚、回転ブレード３１ａ，３２ａ，３３ａのそれぞれは、その両端部に切断刃先を形成しており、さらに各切断刃先の背後側に形成された起風羽根を形成している。
【００２８】
芝刈り作業時には、各回転ブレード３１ａ，３２ａ，３３ａを回転させながら乗用電動芝刈機を走行させることで各回転ブレード３１ａ，３２ａ，３３ａによって切断処理された刈草は、各回転ブレード３１ａ，３２ａ，３３ａの起風羽根によって発生した風により、バキュームプレート及びバッフルプレートに案内されてモーアデッキ３０の内部を排出口３８の位置する横一端側に搬送されて、排出口３８からモーアデッキ３０の横外側に放出される。
【００２９】
上述したように、この実施形態では、各ブレードモータ３１，３２，３３も、それぞれ独立的にインバータ４を介して供給される電力量によってその回転速度を変更することができるが、ここでは制御を簡単にするため、高速回転である定常回転速度（定常回転数）で回転する定常モードと、定常回転速度（定常回転数）より遅く電力消費量が少ない低回転速度（低回転数）で回転する低回転モードで駆動される。但し、各ブレードモータ３１，３２，３３の回転速度を同一にする必要はなく、排出口３８から最も離れている回転ブレード３１ａを回転させるブレードモータ３１の回転速度を、排出口３８から最も近い回転ブレード３３ａを回転させるブレードモータ３３の回転速度より高速とする等により、各ブレードモータ３１，３２，３３の回転速度を異ならせることで、省電力と刈草の排出搬送の効率とを考慮して最適な選択をするとよい。なお、同様な目的で、排出口３８から最も近い回転ブレード３３ａのブレードモータ３３には他の刈草の排出も引き受けることになるので、排出口３８から最も近いブレードモータほど回転トルクを大きくするような方策を採用してもよい。
【００３０】
走行のための左輪モータ２１と右輪モータ２２、及び芝刈りのためのブレードモータ３１，３２，３３への給電は、コントローラ５によるインバータ制御によって行われる。このため、バッテリ２０に接続されたインバータ４は、各ブレードモータ３１，３２，３３に同一又は異なる電力を給電するブレード給電部４０、左輪モータ２１に給電する左輪給電部４１、右輪モータ２２に給電する右輪給電部４２を備えている。
【００３１】
図５に示すように、コントローラ５は、走行状態検出センサ群７と、操縦状態検出センサ群８と、作業状態検出センサ群９と、インバータ４と、接続している。
走行状態検出センサ群７には、左後車輪２ａの回転数を検出する左後輪回転検出センサ７０ａ、右後車輪２ｂの回転数を右後輪回転検出センサ７０ｂなど、走行に関する情報を検出するセンサが含まれる。操縦状態検出センサ群８には、左操縦レバー１５ａの揺動角を検出する左操縦角検出センサ８０ａ、右操縦レバー１５ｂの揺動角を検出する右操縦角検出センサ８０ｂ、ブレーキペダル１４の操作角を検出するブレーキ検出センサなど操縦に関する情報を検出するセンサが含まれる。作業状態検出センサ群９には、各ブレードモータ３１，３２，３３の回転数を検出するブレード回転検出センサ９１ａ，９１ｂ，９
１ｃまたは各ブレードモータ３１，３２，３３を流れる電流を検出する電流計あるいはその両方、モーアデッキ３０の排出口３８から排出される刈草量を検出する刈草検出センサ、走行に伴ってモーアデッキ３０に入り込む芝草の量を推定する刈草推定センサなどが含まれるが、ブレードモータ３１，３２，３３の負荷を評価するためには、少なくとも１つ備えるとよい。ここでは、作業状態検出センサ群９には、ブレード回転検出センサ９１ａ，９１ｂ，９１ｃだけが備えられていることにする。
【００３２】
コントローラ５では、センサ情報処理部５１、左輪速度演算部５２、右輪速度演算部５３、走行制御部５４、入力パラメータ演算部５５、作業負荷評価部５６、しきい値設定部５７、モーア制御部５８などが、プログラムの実行によって構築されるが、必要に応じて、ハードウエアによって構築してもよい。センサ情報処理部５１は、走行状態検出センサ群７や操縦状態検出センサ群８や作業状態検出センサ群９から入力されたセンサ信号を処理して、コントローラ５の内部で利用可能な情報に変換する。
【００３３】
左輪速度演算部５２は、運転者による左操縦レバー１５ａの操作量を検出する左操縦角検出センサ８０ａを通じての操作情報に基づいて左後車輪２ａの回転速度（回転数）、つまり左輪モータ２１の回転速度（回転数）を求める。その際、操作位置と回転速度の関係を表すテーブルや関数が用いられる。同様な方法で、右輪速度演算部５３も、運転者による右操縦レバー１５ｂの操作量を検出する右操縦角検出センサ８０ｂを通じての操作情報に基づいて右後車輪２ｂの回転速度（回転数）、つまり右輪モータ２２の回転速度（回転数）を求める。
【００３４】
走行制御部５４は、左輪速度演算部５２及び右輪速度演算部５３によって求められた左輪モータ２１の回転速度と右輪モータ２２の回転速度を実現するために必要な電力を左輪モータ２１及び右輪モータ２２に送るための制御信号を左輪給電部４１及び右輪給電部４２に与える。なお、その際、車体の左右振れなどを避けるために左輪モータ２１と右輪モータ２２との間の僅かな目標回転速度差が生じた場合には、不感帯を設けてチャタリングを避ける走行制御や、運転者が直進走行を意図しているか緩やかな旋回走行を意図しているかを推定して、その推定に合わせた制御信号を生成するような走行制御を行うことも好適である。
【００３５】
入力パラメータ演算部５５は、センサ情報処理部５１から得られた種々のセンサ情報から、特定の作業状態や走行状態を推定するための入力パラメータを生成する機能を有する。例えば、少なくとも実質的には芝刈り作業が行われていないモーアユニット無負荷時であるかどうかをチェックするためのパラメータや、芝の状態が芝刈り作業において通常より負担のかかる状態であるかどうかをチェックするためのパラメータを生成する。さらには、道路走行であるか、農地や芝地走行であるかなどをチェックするパラメータを生成することも可能である。
【００３６】
作業負荷評価部５６は、センサ情報処理部５１から得られた各ブレードモータ３１，３２，３３の回転速度と各ブレードモータ３１，３２，３３への制御信号との関係、刈草量、各ブレードモータ３１，３２，３３を流れる電流値などからモーアユニット３における負荷、つまり各ブレードモータ３１，３２，３３の負荷を示す負荷評価値：Ｌ＝ｆ(α1and/orα2・・・)を求める。
【００３７】
しきい値設定部５７は、モーアユニット無負荷時またはモーアユニット低負荷時における負荷評価値：Ｌを求め、その値を基準として決定される所定の値をモーアユニット３の無負荷時または低負荷時を判定するしきい値Ｌthとして設定する機能を有する。
【００３８】
モーア制御部５８は、各ブレードモータ３１，３２，３３をインバータ制御により所定の速度で回転駆動させるために、インバータ回路を有するブレード給電器４０に対して適切な制御信号を与える。当該制御信号に基づいてブレード給電器４０が各ブレードモータ３１，３２，３３に対して適切な電力を供給することで、各ブレードモータ３１，３２，３３は所定速度で回転する。ここでは、モーア制御部５８は、各ブレードモータ３１，３２，３３を予め設定された定常速度（高速）で回転させる定常（高速回転）モードと、低速で回転させる省電力（低速回転）モードとの、少なくとも２つのモードを備えている。通常は、各ブレードモータ３１，３２，３３は定常モードで回転させられるが、作業負荷評価部５６が求めた各ブレードモータ３１，３２，３３の負荷を示す負荷評価値：Ｌがしきい値Ｌth以下になった場合、省電力モードに移行して各ブレードモータ３１，３２，３３を低速にして、省エネを図る。なお、各ブレードモータ３１，３２，３３の速度は均一でなくてもよいし、３つのモータうちのいずれかを停止させることも可能である。
【００３９】
以上のように構成された乗用電動芝刈機による芝刈り作業における制御の流れを図６、図７、図８、図９を用いて以下に説明する。
この乗用電動芝刈機がキーオンされて、コントローラ５が起動すると、フラグやタイマ等の初期化やデフォルト値の設定などの初期設定処理が行われ（＃１０）、その後、走行制御（＃２０）とここではモーアユニット３に対する制御である作業機制御（＃５０）が運転終了（＃１００Yes分岐）まで行われる。
【００４０】
走行制御（＃２０）では、走行状態検出センサ群７や操縦状態検出センサ群８からのセンサ信号がセンサ情報処理部５１で処理され、走行及び操縦に関する情報（内部信号）が生成される（＃２２）。当該情報に基づいて左輪モータ２１と右輪モータ２２とに対する給電量を決定する制御値が演算され（＃２４）、インバータ４にモータ制御指令として出力される（＃２６）。
【００４１】
作業機制御（＃５０）では、まず作業機の駆動要求、つまりモーアユニット３に対する駆動要求が入力されているかどうかチェックされる（＃５１）。このチェックは、例えば、電気操作パネル１８に配置されたモーアＯＮ／ＯＦＦスイッチの状態判定によって行われる。モーアユニット３に対する駆動要求がなければ（＃５１No分岐）、ブレードモータ３１，３２，３３が動作中はこれを停止して（＃５２）、この処理を終了する。モーアユニット３に対する駆動要求があれば（＃５１Yes分岐）、回転数フラグの内容がチェック
される（＃５３）。この回転数フラグは、前述したブレードモータ３１，３２，３３の制御モードの設定状態を示すものであり、定常回転（高回転）モードに設定されている場合には「定常」が、省電力（低回転）モードに設定されている場合には「低」がセットされる。なお、この実施形態では、作業の開始時には、定常モードで回転制御されるので、回転数フラグの初期値として「０」が設定されている。つまり、作業の開始時には回転数フラグの内容が「０」となるので（＃５３Yes分岐）、ブレードモータ３１，３２，３３を
定常回転させるために定常回転指令が出力され（＃５４）、回転数フラグが「定常」にセットされる（＃５５）。それ以後は、回転数フラグの内容が「０」とならないので（＃５３No分岐）、このステップ＃５４と＃５５は実行されない。
【００４２】
次に、初期設定フラグの内容がチェックされる（＃５６）。初期設定フラグはモーアユニット３が高負荷状態であるか低負荷状態（無負荷）であるかを判定するためのしきい値Ｌthが設定されている場合には「１」が設定され、設定されていない場合には「０」が設定されている。従って、初期設定フラグの内容が「０」ならば（＃５６Yes分岐）、しき
い値Ｌthを設定すべく、後で説明される作業負荷初期設定処理が行われる（＃８０）。初期設定フラグの内容が「１」ならば（＃５６No分岐）、作業負荷初期設定処理はジャンプされる。
【００４３】
これより、実質的な作業機制御であるブレードモータ３１，３２，３３の回転速度制御が行われる。まず、センサ情報処理部５１で処理され、生成された作業状態情報に関するセンサ情報を取得し（＃６１）、このセンサ情報から求めた１つ以上の入力パラメータ：α1、α2を用いて負荷評価値Ｌ＝ｆ（α1and/orα2・・・）を演算する（＃６３）。得られた負荷評価値Ｌはしきい値Lthと比較される（＃７１）。このしきい値Lthは、モーアユニット３、つまりブレードモータ３１，３２，３３の低負荷状態ないしは無負荷状態に対応する負荷評価値であるので、Ｌ＜＝（Lth＋ΔＬ）（ΔＬは調整値）ならば、ブレード
モータ３１，３２，３３が低負荷状態ないしは無負荷状態であると判定することができ、Ｌ＞（Lth＋ΔＬ）（ΔＬは調整値）ならば、ブレードモータ３１，３２，３３が高負荷状態であると判定することができる。
【００４４】
従って、Ｌ＜＝（Lth＋ΔＬ）の場合（＃７１Yes分岐）、さらに回転数フラグの内容がチェックされる（＃７３）。回転数フラグの内容が「定常」（高回転）ならば（＃７３Yes分岐）、低回転指令を出力し（＃７５）、ブレードモータ３１，３２，３３を低回転で
駆動すべく省電力モードに移行する。さらに回転フラグに「低」をセットして（＃７７）、このルーチンを終了する。回転数フラグの内容が「定常」でないならば（＃７３No分岐）、つまり省電力モードでの駆動であるなら、そのままこのルーチンを終了する。
【００４５】
また、Ｌ＞（Lth＋ΔＬ）の場合（＃７１No分岐）でも、さらに回転数フラグの内容が
チェックされる（＃７２）。回転数フラグの内容が「低」（低回転：省電力モード）ならば（＃７２Yes分岐）、定常回転指令を出力し（＃７４）、ブレードモータ３１，３２，
３３を定常回転（高回転）で駆動すべく定常モードに移行する。さらに回転フラグに「定常」をセットして（＃７６）、このルーチンを終了する。回転数フラグの内容が「低」でないならば（＃７２No分岐）、つまり定常モードでの駆動であるなら、そのままこのルーチンを終了する。
【００４６】
次に、図９を用いて、作業負荷初期設定を行うルーチン（＃８０）を説明する。
まず、モーアユニット３が低負荷（無負荷）であるか高負荷であるかを判定するためのしきい値を設定する作業負荷初期設定を行うための条件が成立するかどうかがチェックされる（＃８１）。モーアユニット３が低負荷（無負荷）状態であることがここでの条件となるので、（１）車体が停止状態である（２）刈芝排出量がゼロ（３）芝草が存在しない道路や通路を走行（４）モーアデッキ３０が上昇位置に格納されている、などがチェックされる。この条件が成立しない場合（＃８１No分岐）、予め設定されている値、あるいは前回の作業で設定されたしきい値を今回のデフォルトのしきい値Lthとして仮に設定して
（＃８２）、このルーチンを終了する。
【００４７】
条件が成立する場合（＃８１Yes分岐）、入力パラメータ演算部５５からのセンサ情報
処理部５１からセンサ情報を取得して１つ以上の入力パラメータ：α1、α2を求め（＃８３）、これを用いて負荷評価値Ｌ＝ｆ（α1and/orα2・・・）を演算する（＃８４）。得られた現状の低負荷状態（無負荷状態）での負荷評価値Ｌからしきい値Lthが演算される
（＃８５）。もちろん、ここで得られた負荷評価値Ｌをそのまましきい値Lthとしてもよ
い。決定されたしきい値Lthがしきい値設定部５７で設定されると（＃８６）、初期設定
フラグに「１」をセットし（＃８７）、新規しきい値設定済みとし、このルーチンを終了する。
【００４８】
上述した制御の流れでは、説明を簡単にするためモーアユニット３に含まれるブレードモータ３１，３２，３３を１つのモータとして取り扱っていたが、実際には以下のように異なる制御方法を採用することができる。
（ａ）各モータに対して、共通または専用のしきい値Lthを設定して、互いに独立した負
荷―回転制御を行う。従って、一方のモータが低回転駆動され、他方のモータが高回転駆動されることが生じうる。
（ｂ）設定された共通または専用のしきい値Lthより低い低負荷と評価されたモータの数
が多数となった場合に全モータを低回転とする多数決制御を行う。
（ｃ）全モータが、設定された共通または専用のしきい値Lthより低い低負荷と評価され
た場合に、全モータを低回転とする。言い換えると、１つでもしきい値Lth以上と評価さ
れるモータがある限り、全モータは定常回転を維持する。
【００４９】
〔別実施の形態〕
（１）上述した実施形態では、負荷に基づく作業用電動機への給電量の切替を二段階としていたが、さらに多くの段階にわけて精細な省電力制御を行ってもよい。もちろん、負荷に応じて無段階で給電量を調整してもよい。
（２）上述した実施形態では、一旦設定されたしきい値Ｌthは新たに求められ設定されるまでは固定値として用いられていたが、環境変化等に基づいて所定範囲で変動するアクティブなしきい値としてもよい。
（３）上述した実施形態では、しきい値Ｌthは作業負荷初期設定ルーチンに基づいて設定されていたが、運転部の電気操作パネル１８などに設けられたしきい値設定器により人為的に設定・変更できるように構成し、この人為的に設定されたしきい値で、定常モードと省電力モードとを自動切換えできるような構成を採用してもよい。もちろん、コントローラ５に予め設定・記憶されたしきい値のみで定常モードと省電力モードとを自動切換えするような構成を採用してもよい。
（４）上述した実施形態の乗用作業車は、駆動車輪ユニットも電動機で行う完全電気車両であったが、エンジン（内燃機関）を搭載して、駆動車輪ユニットをエンジンの駆動力あるいはエンジンの駆動力で回された発電機からの電力によって駆動されるハイブリッド型車両であってもよい。また、駆動車輪ユニットはエンジンにより駆動され、作業用電動機はバッテリによって駆動される通常のエンジン車両であってもよい。
（５）上述した実施形態では、作業ユニットをモーアユニット３とする乗用電動芝刈機を例としていたが、本発明が適用できる乗用作業車としては、芝刈機以外、耕耘機、トラクタ、田植機、コンバイン、土木・建築作業機、除雪車などが挙げられる。
【産業上の利用可能性】
【００５０】
本発明は、前記作業デバイスを駆動するための作業用電動機への給電量を負荷変動によって増減しながさ作業を行う乗用作業車に利用可能である。
【符号の説明】
【００５１】
２：後車輪ユニット（駆動車輪ユニット）
２ａ：左後車輪
２ｂ：右後車輪
３：モーアユニット（作業ユニット）
１０：車体
１１：運転座席
１５：操縦ユニット
１５ａ：左操縦レバー
１５ｂ：右操縦レバー
２０：バッテリ
２１：左輪モータ（走行用電動機ユニット）
２２：右輪モータ（走行用電動機ユニット）
３１，３２，３３：ブレードモータ（作業用電動機）
３１ａ，３２ａ，３３ａ：回転ブレード（作業デバイス）
５：コントローラ
５１：センサ情報処理部
５２：左輪速度演算部
５３：右輪速度演算部
５４：走行制御部
５５：入力パラメータ演算部
５６：作業負荷評価部
５７：しきい値設定部
５８：モーア制御部（電動機制御部）
７：走行状態検出センサ群
８：操縦状態検出センサ群
８０ａ：左操縦角検出センサ
８０ｂ：右操縦角検出センサ
９：作業状態検出センサ群
Ｌth：しきい値
【図１】
2015154792.tif 000003
【図２】
2015154792.tif 000004
【図３】
2015154792.tif 000005
【図４】
2015154792.tif 000006
【図５】
2015154792.tif 000007
【図６】
2015154792.tif 000008
【図７】
2015154792.tif 000009
【図８】
2015154792.tif 000010
【図９】
2015154792.tif 000011